(57)【要約】【課題】データ取得成功率から機器の通信状況の確認を容易とする表示用データを生成する。【解決手段】表示制御装置は、屋内に配置された複数の機器それぞれについて、当該機器から送信されたデータ量に対し受信側で受信できたデータ量を示す成功率を取得する成功率取得部と、メモリから読出されたレイアウト図において、複数の機器それぞれの位置を示すマークと、屋内のレイアウトを示すレイアウト図において、複数の機器それぞれの位置を示すマークに関連付けて、当該機器について取得された成功率を示すように画面に表示させるためのデータを生成する表示用データ生成部（１１３）と、を備える。【選択図】図４
2014186629.tif 000002
【特許請求の範囲】
【請求項１】
屋内に配置された複数の機器それぞれについて、当該機器から送信されたデータ量に対し受信側で受信できたデータ量を示す成功率を取得する成功率取得部と、
メモリから前記屋内のレイアウトを示すレイアウト図を読み出す読出し部と、
読出された前記レイアウト図において、前記複数の機器それぞれの位置を示すマークと、マークに関連付けて当該機器について取得された前記成功率とを示すように画面に表示させるためのデータを生成する表示用データ生成部と、を備える、表示制御装置。
【請求項２】
前記表示用データ生成部は、
前記レイアウト図において、各機器の前記マークが配置されたエリアの表示色を、当該機器に対応の前記成功率の大きさに基づき異るように画面に表示するためのデータを生成する第１生成部を、含む、請求項１に記載の表示制御装置。
【請求項３】
前記表示用データ生成部は、
前記レイアウト図において、各機器の前記マークを、各機器に対応の前記成功率の大きさに基づき等高線状の線で繋いだ状態で画面に表示させるためのデータを生成する第２生成部を、含む、請求項１または２に記載の表示制御装置。
【請求項４】
前記表示用データ生成部は、
前記レイアウト図において、各機器の前記マークを、各機器に対応の前記成功率の大きさに基づき異なる態様で画面に表示させるためのデータを生成する第３生成部を、含む、請求項１から３のいずれかに記載の表示制御装置。
【請求項５】
前記表示用データ生成部は、
前記レイアウト図において、前記マークに関連付けて、当該マークの機器よりも前記成功率が高い機器が配置された方向を示す画像を含むように画面に表示させるためのデータを生成する第４生成部を、含む、請求項１から４のいずれかに記載の表示制御装置。
【請求項６】
画面のデータ表示を制御する方法であって、
屋内に配置された複数の機器それぞれについて、当該機器から送信されたデータ量に対し受信側で受信できたデータ量を示す成功率を取得するステップと、
メモリから前記屋内のレイアウトを示すレイアウト図を読出すステップと、
読出された前記レイアウト図において、前記複数の機器それぞれの位置を示すマークと、マークに関連付けて当該機器について取得された前記成功率を示すように前記画面に表示させるためのデータを生成するステップと、を備える、表示制御方法。
【発明の詳細な説明】
【技術分野】
【０００１】
本発明は表示制御装置および方法に関し、通信状況を表す情報の表示を制御する表示制御装置および方法に関する。
【背景技術】
【０００２】
機器の消費電力などの計測データを通信により収集する機能が知られている。例えば、特許文献１（特開２０１２−２２２８９８号公報）では、電力測定器は、センサ部によって測定された制御対象機器の消費電力をサーバへ送信し、サーバからは消費電力解析結果から導かれる制御コマンド情報を通知される。
【先行技術文献】
【特許文献】
【０００３】
【特許文献１】特開２０１２−２２２８９８号公報
【発明の概要】
【発明が解決しようとする課題】
【０００４】
特許文献１では、収集側のサーバは計測データを欠損することなく収集できることが望ましい。しかしながら、電力測定器が設置されている周辺には、様々な周波数帯域の無線信号が伝送されている。その場合、計測データ送信のための信号と他の無線信号とが干渉し、その結果、サーバが収集する計測データには欠損が生じ得る。したがって、計測データの欠損を考慮した通信状況の確認方法が求められていた。
【０００５】
それゆえに、本発明の目的は、データ取得の成功率から機器の通信状況確認が容易となるような表示用データを生成する表示制御装置および方法を提供することである。
【課題を解決するための手段】
【０００６】
この発明のある局面に従う表示制御装置は、屋内に配置された複数の機器それぞれについて、当該機器から送信されたデータ量に対し受信側で受信できたデータ量を示す成功率を取得する成功率取得部と、メモリから屋内のレイアウトを示すレイアウト図を読み出す読出し部と、読出されたレイアウト図において、複数の機器それぞれの位置を示すマークと、マークに関連付けて、当該機器について取得された成功率を示すように画面に表示させるためのデータを生成する表示用データ生成部と、を備える。
【０００７】
好ましくは、表示用データ生成部は、レイアウト図において、各機器のマークが配置されたエリアの表示色を、当該機器に対応の成功率の大きさに基づき異なるように画面に表示するためのデータを生成する第１生成部を、含む。
【０００８】
好ましくは、表示用データ生成部は、レイアウト図において、各機器のマークを、各機器に対応の成功率の大きさに基づき等高線状の線で繋いだ状態で画面に表示させるためのデータを生成する第２生成部を、含む。
【０００９】
好ましくは、表示用データ生成部は、レイアウト図において、各機器のマークを、各機器に対応の成功率の大きさに基づき異なる態様で画面に表示させるためのデータを生成する第３生成部を、含む。
【００１０】
好ましくは、表示用データ生成部は、レイアウト図において、マークに関連付けて、当該マークの機器よりも成功率が高い機器が配置された方向を示す画像を含むように画面に表示させるためのデータを生成する、第４生成部を含む。
【００１１】
この発明の他の局面に従う、画面のデータ表示を制御する方法は、屋内に配置された複数の機器それぞれについて、当該機器から送信されたデータ量に対し受信側で受信できたデータ量を示す成功率を取得するステップと、メモリから屋内のレイアウトを示すレイアウト図を読出すステップと、読出されたレイアウト図において、複数の機器それぞれの位置を示すマークと、マークに関連付けて当該機器について取得された成功率を示すように画面に表示させるためのデータを生成するステップと、を備える。
【発明の効果】
【００１２】
本発明によれば、屋内のレイアウト図において、複数の機器それぞれの位置を示すマークに関連付けて、当該機器のデータ取得成功率を示すような画面が表示されることから、屋内に配置された機器の通信状況確認が容易となる。
【図面の簡単な説明】
【００１３】
【図１】本発明の実施の形態１に係る管理システムの構成図である。
【図２】本発明の実施の形態１に係る測定器の周辺部との連携を説明する図である。
【図３】本発明の実施の形態に係る測定器の要部構成を示す図である。
【図４】本発明の実施の形態に係る設備制御監視装置の構成図である。
【図５】本発明の実施の形態に係るＵＩに用いられる間取り図を示す図である。
【図６】本発明の実施の形態に係る通信状況を表示するＵＩの画面を示す図である。
【図７】本発明の実施の形態に係る間取り図の情報設定時におけるＵＩ画面を示す図である。
【図８】本発明の実施の形態に係るメインフローチャートである。
【図９】本発明の実施の形態に係る設定ＧＵＩ用サーバスレッドのフローチャートである。
【図１０】本発明の実施の形態に係る表示ＧＵＩ用サーバスレッドのフローチャートである。
【図１１】本発明の実施の形態に係るタイマイベント処理のフローチャートである。
【図１２】本実施の形態に係る通信状況の確認モードにおける表示画像例を示す図である。
【図１３】本実施の形態に係る通信状況の確認モードにおける表示画像例を示す図である。
【図１４】本発明の実施の形態に係る店舗内のレイアウトの一例を示す図である。
【図１５】本発明の実施の形態に係る店舗内の通信状況の確認のための表示画像例を示す図である。
【図１６】本発明の実施の形態に係る店舗内の通信状況の確認のための表示画像例を示す図である。
【発明を実施するための形態】
【００１４】
以下、本発明の実施の形態について図面を参照し詳細に説明する。なお、同一の構成要素には各図において同一の符号を付し、詳細な説明は繰返さない。
【００１５】
本実施の形態では、計測対象機器（電気機器）の設置エリアである屋内を対象にして、各計測対象機器に対応した測定器からの測定データ受信状況を、当該屋内のレイアウト図において測定器位置に関連して表示することで、ユーザに対して通信状況の確認を容易にする。本実施の形態では、通信状況を、測定データの受信時に算出したデータ取得成功率により表す。本実施の形態では、レイアウト図は、屋内の間取り図または什器などの配置図を示す。
【００１６】
本実施の形態では、測定器は、電力が供給されて動作する電気機器とは個別に設置されるが、電気機器と測定器とは一体的に構成された機器として提供されてもよい。
【００１７】
＜実施の形態１＞
図１は、実施の形態１に係る管理システムの構成図である。本実施の形態では、管理システムは、複数の電気機器を備える屋内に適用されるシステムであって、例えば住居内およびスーパーマーケット、飲食店、コンビニエンスストア等の店舗内で使用される場合を説明する。適用先は、これらに限定されない。
【００１８】
（システム構成）
図１の管理システムは、住居内または店舗内などの屋内に設置されている機器の消費電力を測定し、監視する設備電力監視システムに搭載される。設備電力監視システムは、表示制御装置の機能を有した設備制御監視装置４０、店舗サーバ（サーバコンピュータ）５０、および電力監視端末６０を備え、さらに、これらを接続するためのＬＡＮ（Ｌｏｃａｌ  Ａｒｅａ  Ｎｅｔｗｏｒｋ）などの通信回線を備える。当該通信回線はルータを経由して、インターネットなどの外部ネットワークと接続される。電力監視端末６０は表示端末７０と高速大容量通信、例えばＷｉＦｉ（Ｗｉｒｅｌｅｓｓ  Ｆｉｄｅｌｉｔｙ）（登録商標）などにより通信する。表示端末７０には、携帯可能な表示機能を有した端末であって、例えばタブレット端末などを適用する。
【００１９】
また、設備電力監視システムは、親機に相当した設備制御監視装置４０と無線通信することにより測定データを送信する１つまたは複数の子機に相当する測定器１０を備える。測定器１０には、分電盤８０に接続されて分電盤８０から家庭内の消費電力を取得しデータを送信するものと、店舗内の各電気機器２０に接続されて、当該電気機器２０の消費電力を測定し、測定データを送信するものとを含む。ここでは電気機器として、例えば、冷蔵庫、電子レンジ、テレビ、湯沸かしポット、空気調和器、照明器などを含む。なお、測定器１０が送信する測定データには、消費電力データに限定されず、接続された電気機器の運転に関するデータ（ＯＮ／ＯＦＦ、設定温度、室温、室内の湿度、湯量、電子レンジの温め回数などの電気機器の運転回数、遮断機（ブレーカ）の状態など）が含まれてもよい。
【００２０】
（測定器１０の構成）
図２は、本発明の実施の形態に係る測定器１０の周辺部との連携を説明する図である。図を参照して、測定器１０は、測定対象機器である対応の電気機器２０について測定された消費電力を、電気機器２０から赤外線信号により受信する。受信した消費電力の測定データを無線により設備制御監視装置４０に送信する。
【００２１】
図３は、本発明の実施の形態に係る測定器１０の要部構成を示す図である。図３を参照して、測定器１０は、プラグ１１とコンセント１２とを有する。これは、電気機器２０が、例えば家庭用電源ＡＣ１００Ｖから動作電源を得る場合、この動作電源を、測定器１０を介して対応の電気機器２０に供給するためである。すなわち、測定器１０のプラグ１１が家庭用電源のコンセントに差し込まれ、電気機器２０のプラグ３０は対応の測定器１０のコンセント１２に差し込まれる。これにより、測定器１０は対応の電気機器２０での消費電力を測定できる。なお、家庭用電源コンセントの位置は、延長コード等を用いて変更することができることから、測定器１０の位置も容易に変更することができる。
【００２２】
さらに、測定器１０は、センサ部（測定部）１３、通信部１４、電源部１５、赤外線通信部１６を有する。センサ部１３は、コンセント１２を介して接続されている電気機器２０の消費電力を測定する機能をする。測定器１０は、コンセント１２および延長用ケーブルなどを用いて遠隔の電気機器２０を接続し、消費電力を測定することもできる。
【００２３】
センサ部１３は、例えば、電流測定用のシャント抵抗を用いて電気機器２０の消費電力を測定する。センサ部１３によって測定された電気機器２０の消費電力（測定値）は、通信部１４に通知される。なお、センサ部１３の消費電力測定の構成は図３のものに限定されるものではない。
【００２４】
通信部１４はＣＰＵ（Ｃｅｎｔａｒｌ  Ｐｒｏｃｅｓｓｉｎｇ  Ｕｎｉｔ）を有するマイクロプロセッサを有し、例えばＺｉｇＢｅｅ（登録商標）などの近距離無線通信規格に従って測定値から送信用フレームを生成し、生成したフレームを設備制御監視装置４０に送信する。フレームは、ヘッダ部、測定値などの送信すべきデータを格納するためのデータ部、およびＦＣＳ（Frame Check Sequence）データを格納するＦＣＳ部を含む。ヘッダ部は、フレームの送信順番号を示すシーケンス番号、宛先アドレスおよび送信元アドレスなどを格納する。宛先アドレスおよび送信元アドレスは、通信部１４のメモリ（ＲＯＭ（Ｒｅａｄ  Ｏｎｌｙ  Ｍｅｍｏｙ）など）に格納されている。
【００２５】
電源部１５は、センサ部１３および通信部１４への動作電源を生成し、各部に供給する。赤外線通信部１６は、対応の電気機器２０から運転に関するデータを受信すると、受信したデータを通信部１４に通知する。通信部１４は、受信した運転に関するデータを格納したフレームを生成し、設備制御監視装置４０に送信する。
【００２６】
なお、図３の設定プッシュキーは、測定器１０を設備制御監視装置４０と無線通信が可能な状態とする(ペアリングする)ための無線信号を発生させて、送信するためにユーザが操作するものである。また、状態表示用ＬＥＤ（Ｌｉｇｈｔ  Ｅｍｉｔｔｉｎｇ  Ｄｉｏｄｅ）は、通信部１４のＣＰＵが、赤外線通信部１６を介して受信した電気機器２０の運転に関するデータに基づき運転状態を示すように点灯制御される。
【００２７】
（設備制御監視装置４０の構成）
図４は、本発明の実施の形態に係る設備制御監視装置４０の構成図である。図４（Ａ）を参照して、設備制御監視装置４０は、メモリ１０１、ディスプレイ１０２、タブレット１０３、ボタン１０４、通信インターフェイス１０５、音声出力のためのスピーカ１０７、時間を計時するための時計１０８、および、これら各部を制御するＣＰＵ（Central  Processing  Unit）１１０を含む。
【００２８】
メモリ１０１は、各種のＲＡＭ（Random  Access  Memory）や、ＲＯＭ（Read-Only  Memory）や、ハードディスクなどによって実現される。例えば、メモリ１０１は、読取用のインターフェイスを介して利用される、ＵＳＢ（Universal Serial Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００２９】
本実施の形態においては、ディスプレイ１０２の表面にタブレット１０３が敷設されている。すなわち、本実施の形態においては、ディスプレイ１０２とタブレット１０３とがタッチパネル１０６を構成する。
【００３０】
通信インターフェイス１０５は、ＣＰＵ１１０によって制御されることによって、ＬＡＮを介して通信する。また、測定器１０からのフレームを受信する。
【００３１】
メモリ１０１は、ＣＰＵ１１０によって実行される制御プログラムおよびそのためのデータを記憶する。図４（Ｂ）を参照して、メモリ１０１には設定ファイル２０１、レイアウト図の１つである間取り図２０２のデータ、および成功率ファイル２０３を含むデータが格納される。ＣＰＵ１１０は、各測定器１０の後述する取得成功率を表す情報を、間取り図において当該測定器１０の位置に関連して表示するための画像（画像データ）を生成するために図４（Ｂ）のデータを参照する。これらデータの読出しは、ＣＰＵ１１０のデータ読出し部の機能により実現される。
【００３２】
間取り図２０２は、屋内の部屋の配置、什器の配置、什器名、部屋を区切る壁の配置などを示す情報と、壁の素材の種類（コンクリートなど）を示す情報と、測定器１０のプラグ１１を差し込み可能なコンセントの位置情報とを含む。さらに、各部屋については部屋名、各什器については什器名を含む。
【００３３】
間取り図２０２は、ビットマップデータ，ＪＰＥＧ（ｊｏｉｎｔ  Ｐｈｏｔｏｇｒａｐｈｉｃ  Ｅｘｐｅｒｔｓ  Ｇｒｏｕｐ）データなどに相当する。ここでは、間取り図２０２は、直交するＸ軸およびＹ軸により規定される２次元のビットマップデータである。
【００３４】
図４（Ｃ）には、設定ファイル２０１と成功率ファイル２０３が関連付けて示される。設定ファイル２０１には、測定器１０のそれぞれに対応して、当該測定器１０の識別子２Ａ、当該測定器１０の間取り図２０２上の位置データ２Ｂ、対応の電気機器を識別するための機器ＩＤ２Ｃ、および測定間隔２Ｄが格納される。位置データ２Ｂは、間取り図２０２上の２次元座標値（ｘ，ｙ）、測定器１０が取り付けられたフロアの識別情報および取り付けられた部屋名などを含む。測定間隔２Ｄは測定器１０が対応する電気機器２０の消費電力を測定する間隔を示す。この測定間隔は、測定器１０のフレーム送信間隔に対応する。また、成功率ファイル２０３には、各測定器１０の取得成功率２Ｅが格納される。ここでは、成功率ファイル２０３の各取得成功率２Ｅは、設定ファイル２０１の対応の測定器１０のデータに関連付けされて、より特定的には当該測定器１０の識別子２Ａにポインタ等で関連付けされている。
【００３５】
図４（Ｄ）を参照して、設備制御監視装置４０は、収集部１１１、成功率算出部１１２、および表示用データ生成部１１３の機能を有する。これら機能は、メモリ１０１の所定記憶領域に格納されるプログラムをＣＰＵ１１０が実行することにより、または当該プログラムと回路の組み合わせにより実現される。
【００３６】
収集部１１１は、通信インターフェイス１０５を介して各測定器１０からのフレームを入力し、入力フレームを送信元アドレスに基づき分類する。収集部１１１が分類した各測定器１０のフレームは、成功率算出部１１２に出力される。
【００３７】
成功率算出部１１２は、各測定器１０のフレームから、当該測定器１０から送信されたデータ量に対し受信できたデータ量を示す取得成功率を算出する。具体的には、受信したフレームのＦＣＳデータから、当該フレームにデータの損失があったかどうかを判定する。または、ヘッダ部のシーケンス番号から番号が連続しているか否かに基づきデータの損失があったかどうかを判定する。なお、データ損失有無の判定方法は、これに限定されない。
【００３８】
成功率算出部１１２は、受信したフレーム数（計測数という場合がある）に対する、データ損失がなかったと判定されたフレーム数（成功数という場合がある）の割合から、取得成功率を求める。測定器１０からは、例えば送信間隔である１０秒毎にフレーム送信されて、且つ取得成功率を収集期間である１分間あたりの受信フレーム数に対するデータ損失がなかったフレーム数（例えば、Ｘ個のフレーム）とすれば、取得成功率は、（Ｘ÷６）×１００（％）と算出することができる。
【００３９】
表示用データ生成部１１３は、メモリ１０１のデータに基づき、表示用の画像データを生成する。生成された画像データはディスプレイ１０２に表示され、通信インターフェイス１０５を介して電力監視端末６０または店舗サーバ５０などに送信される。電力監視端末６０は、受信した画像データを表示端末７０に送信する。したがって、ユーザが携帯する表示端末７０に、表示用データ生成部１１３からの画像データを表示させることができる。また、店舗サーバ５０は受信した画像データを、図示しないディスプレイに表示する。また、表示用データ生成部１１３が生成した画像データは、通信インターフェイス１０５およびルータを経由してインターネットに接続された屋外の端末に送信し、当該端末で表示されるとしてもよい。
【００４０】
（ＧＵＩ（Ｇｒａｐｈｉｃａｌ  Ｕｓｅｒ  Ｉｎｔｅｒｆａｃｅ））
図５は、本発明の実施の形態に係るＵＩに用いられる間取り図を示し、この間取り図は、メモリ１０１の間取り図２０２に対応する。
【００４１】
図６は、本発明の実施の形態に係るディスプレイ１０２に表示されるＵＩであって、測定器１０の通信状況を表示する。図６のＵＩ画面は、通信状況の確認（モニタ）を開始／停止するために操作されるボタン１０Ａ、表示切り替えのために操作されるタブ１０Ｈ，１０Ｂ、および領域１０Ｃと１０Ｄを含む。領域１０Ｃでは、間取り図を用いて通信状況に関する情報が表示される。領域１０Ｄでは、操作されるタブにより表示情報が切り替わる。具体的には、タブ１０Ｈが操作されると通信状況に関する情報（図６参照）が表示され、タブ１０Ｂが操作されると、間取り図において測定器１０を設定するための情報が表示される。
【００４２】
設備制御監視装置４０は複数の動作モードを有する。ユーザがボタン１０Ａを操作すると、動作モードは通信状況の確認モード（以下、確認モードと略す）に移行し、ＣＰＵ１１０は、各測定器１０の計測数および成功数を収集開始するように収集部１１１を制御する。また、確認モード中に収集停止のためのボタン１０Ｅが操作されると、収集動作を停止させるように収集部１１１を制御する。
【００４３】
確認モード中に『表示更新』を指示するためのボタン１０Ｆが操作されると、ＣＰＵ１１０は、収集部１１１から取得した測定データを領域１０Ｄのリスト・データ取得全数および領域１０Ｃの間取り図に反映するように、表示用データ生成部１１３を制御する。
【００４４】
確認モード中に『随時表示更新』のボタン１０Ｇにチェックが入っている場合、ＣＰＵ１１０は、自動で収集部１１１から取得したデータを領域１０Ｃと１０Ｄのリスト・データ取得全数および間取り図に反映する。
【００４５】
通信状況確認のためにタブ１０Ｈが操作されると、ＣＰＵ１１０は、領域１０Ｄに設定ファイル２０１から読み込んだ情報をリスト表示する。リストには、確認モード中に取得した各測定器１０の取得成功率と成功数の情報が表示される。ＣＰＵ１１０は、リストの情報をソートする機能を有し、領域１０Ｉの各『部屋』・『フロア』・『機器』のドロップダウンリストが選択されると、ソート機能は、選択された情報をソートし、選択・ソートされた測定器１０の情報が領域１０Ｃの間取り図内に表示される。
【００４６】
確認モード中では、表示用データ生成部１１３により、領域１０Ｃの間取り図において測定器１０の位置を示すマーク（図６では丸のマーク）の表示色が、当該測定器１０の取得成功率が該当する範囲（レンジ）を示す色に変更される。ＣＰＵ１１０は、取得成功率の範囲（レンジ）と表示色を、図６の備考欄１０Ｊの仕様に従って割当てる。したがって、ユーザは、同一画面における備考欄１０Ｊを参照することで、領域１０Ｃの間取り図における測定器１０のアイコンの色から、当該測定器１０の取得成功率を確認することができる。
【００４７】
（設定ファイル生成と更新）
図７は、本発明の実施の形態に係るディスプレイ１０２に表示されるＧＵＩであって、間取り図における情報設定のための画面を示す。
【００４８】
図７を参照して、間取り図上に測定器１０に係る情報を設定する場合には、ユーザは、（１）領域１０Ｃの間取り図上に表示を行いたい画像ファイルをドラッグ＆ドロップ操作で挿入する。そして、（２）下側リスト１１Ｂに表示される所望する測定器１０の識別情報（機器ＩＤ）をダブルクリック操作で選択する。（３）選択したとき、領域１０Ｃの間取り図上に選択した測定器１０のアイコンが表示される。（４）ユーザは、表示されたアイコンをマウス操作にて所望の位置に動かすことができる。（５）測定器１０の間取り図上での位置を決定後、『追加』ボタン１１Ｃを操作すると、設定完了済みリスト１１Ａには、設定ファイル２０１に登録済の各測定器１０の情報（機器ＩＤ、設置されたフロア及び部屋名、接続される電気機器名など）に、上記（２）〜（４）で選択された測定器１０の情報が追加表示される。このように、ユーザは、下側リスト１１Ｂに表示される所望の測定器１０について上記（２）〜（５）の処理を繰り返すことで、これら測定器１０に関する情報を間取り図上に設定することができる。その後、ユーザが『設定終了』ボタン１１Ｄを操作することで、設定が完了する。これにより、ＣＰＵ１１０は、測定器１０に関し設定された情報（設定完了済みリスト１１Ａの情報）を用いて、設定ファイル２０１を生成または更新する。また、タブ１０Ｈ操作時に表示される領域１０Ｃの間取り図も、生成・更新後の設定ファイル２０１を用いて更新される。したがって、更新後の領域１０Ｃの間取り図では、ユーザ所望の位置に追加の測定器１０が配置された状態が示される。
【００４９】
なお、領域１０Ｃの間取り図に表示されるアイコン１０Ｋは、測定器１０からの測定データを受信する中継器を示す。中継器は設備制御監視装置４０に対応し、中継器のアイコン１０Ｋも測定器１０と同様に間取り図上の所望位置に移動させることができる。
【００５０】
ユーザが間取り図上の測定器１０の情報を変更した場合には、変更後の情報を用いて設定ファイル２０１のデータを更新することができる。図７を参照して、まず、（６）ユーザは、設定完了済みリスト１１Ａから位置情報を変更したい測定器１０の情報をマウスにて選択し、（７）『キャンセル』ボタン１１Ｅを操作すると、ＣＰＵ１１０は（８）設定完了済みリスト１１Ａから選択された測定器１０の情報を削除し、下側リスト１１Ｂに当該選択した測定器１０の情報を表示する。
【００５１】
ＣＰＵ１１０は、下側リスト１１Ｂに関連したソート機能を有し、領域１０Ｉの各『部屋』・『フロア』・『機器』のドロップダウンリストを選択することにより、選択された情報に該当する測定器１０の情報がソートされて下側リスト１１Ｂに表示される。
【００５２】
このように、メモリ１０１の設定ファイル２０１には、測定器ＩＤ２Ａおよび機器ＩＤ２Ｃとして図７の設定完了済みリスト１１Ａの各測定器１０の情報が格納されて、位置データ２Ｂとして領域１０Ｃの間取り図上の当該測定器１０の位置情報が格納される。これにより、ユーザは、図７のＧＵＩ画面から設定ファイル２０１を生成し、また設定ファイル２０１を更新することができる。なお、図７では、フレーム送信間隔である測定間隔２Ｄは設定されていないが、測定間隔２Ｄもユーザが任意に設定することができるとしてもよい。ここでは説明を簡単にするために、各測定器１０の測定間隔２Ｄは共通した値（例えば、１０秒）であり、また、収集期間は１分に設定された場合を説明する。
【００５３】
（処理フロー）
図８〜図１１は、本発明の実施の形態に係る処理フローチャートである。これらフローチャートは、予めプログラムとしてメモリ１０１の所定領域に格納されて、ＣＰＵ１１０により所定領域から読出されて実行される。図８は、収集サービスのメインフローチャートを示す。図９は、設定ＧＵＩ用サーバスレッドのフローチャートである。図１０は、表示ＧＵＩ用サーバスレッドのフローチャートである。図１１は、図８の処理に関連して起動されるタイマイベント処理のフローチャートである。これらフローチャートでは、処理を制御するための一時変数として終了フラグＦ１とＦ２を用いる。図８のメインフローを説明する前に、当該メインフロー中で実行される各スレッドについて説明する。
【００５４】
・表示ＧＵＩ用サーバスレッド
本実施の形態では、取得成功率算出部１１２および表示用データ生成部１１３は図１０の表示ＧＵＩ用サーバスレッドに対応する。図１０を参照して、表示ＧＵＩ用サーバスレッドは、動作モードが確認モードに移行すると、時計１０８を用いて設定した時間間隔（インターバルタイマ）によるタイマイベントを発生させる。タイマイベントが発生する毎に、表示ＧＵＩ用サーバスレッドは設定ＧＵＩ用サーバスレッドに接続される。
【００５５】
なお、インターバルタイマの時間間隔は、設定ファイル２０１の測定間隔２Ｄよりも十分に短い間隔となるように決定されるものとする。
【００５６】
具体的には、通信状況確認開始のボタン１０Ａが操作されると、ＣＰＵ１１０は、現在の動作モードが確認モードであるか否かを判定する（ステップＳ６１）。ここでは、メモリ１０１の所定領域に、現在の動作モードを示すモード情報が格納されており、ＣＰＵ１１０は、モード情報から現在の動作モードを判定する。
【００５７】
モード情報は確認モードを示さないと判定すると（ステップＳ６１で“モード停止中”）、インターバルタイマによるタイマイベントを発生させて（ステップＳ６３）、図８の元の処理に戻る。一方、モード情報は確認モードを示すと判定すると（ステップＳ６１で“モード中”）、インターバルタイマを停止し、タイマイベント発生を終了させて（ステップＳ６５）、図８の元の処理に戻る。このように、確認モード中にボタン１０Ａが操作された場合には、確認モード停止の指示として処理される。ここでは、モード停止中にボタン１０Ａが操作される、すなわち確認モードの開始が指示される。
【００５８】
図１１を参照して、タイマイベント処理を収集部１１１のサーバスレッド（設定ＧＵＩ用サーバスレッド）に接続し（ステップＳ７１）、収集部１１１に対して、取得要求コマンドを送信する（ステップＳ７３）。その後は、収集部１１１から当該取得要求コマンドに対する応答を受信するまで待機する（ステップＳ７５）。取得要求コマンドは、各測定器１０の計測数と成功数の送信を要求するコマンドである。
【００５９】
収集部１１１から応答を受信すると（ステップＳ７７）、成功率算出部１１２は、当該応答に含まれる各測定器１０（各測定器ＩＤ２Ａ）に対応の計測数と成功数のデータから、取得成功率を算出する（ステップＳ７９）。ＣＰＵ１１０により、各測定器１０の取得成功率は、当該測定器１０の測定器ＩＤ２Ａに関連付けされて成功率ファイル２０３に格納される。
【００６０】
その後、表示用データ生成部１１３は、メモリ１０１から読み出された間取り図２０２のデータが示す画像において、当該測定器１０の位置を示すアイコンなどのマークを配置し、当該マークに各測定器１０に対応の取得成功率を関連付けて表示するための表示更新処理（ステップＳ８１）が実行される。表示更新処理では、成功率取得部は、設定ファイル２０１と成功率ファイル２０３から、各測定器１０の間取り図上の位置と取得成功率を読み出すことにより取得する。このファイルからの読み出しによる取得は、ＣＰＵ１１０の成功率取得部の機能により実現される。
【００６１】
そして、表示用データ生成部１１３は、取得されたデータから間取り図上の各測定器１０を示すアイコンの色を変化させるような表示用データを生成する。具体的には、表示用データ生成部１１３はアイコンの表示色を、備考欄１０Ｊの仕様データに従って取得成功率の値に応じて異なるように割当てた表示用データを生成する。ＣＰＵ１１０は、生成された表示用データを用いてディスプレイ１０２を制御する。これにより、間取り図は図６と図７に示すように更新される。なお、備考欄１０Ｊの仕様データは予めメモリ１０１に格納されているとする。表示更新処理後、タイマイベント処理は終了する。
【００６２】
このように、インターバルタイマにより定期的に図１１の処理が実行されて間取り図の表示画面が更新されることで、ユーザに対して、通信状況の最新のモニタ結果を提示することができる。
【００６３】
・設定ＧＵＩ用サーバスレッド
図９を参照して、設定ＧＵＩ用サーバスレッドでは、処理終了を検出するための終了フラグＦ２を初期化（リセット）し（ステップＳ４１）、以降の処理を終了フラグＦ２がセットされるまで繰り返す。
【００６４】
まず、各測定器１０と通信するために当該測定器１０のアドレスと所定ポート（例えば、番号１８００のポート）の組であるソケットを指定して、通信インターフェイス１０５を介して回線を開くことで、当該測定器１０とデータ通信する（ステップＳ４３、Ｓ４５）。
【００６５】
次に、他のスレッドから送信されるコマンドを受信する（ステップＳ４７）。受信され得るコマンドには、タイマイベント処理（ステップＳ７３）からの取得要求コマンドおよび収集処理の終了を要求する終了要求コマンドが含まれる。なお、ステップＳ４７で受信し得るコマンドの種類は、この２種類に限定されず、他の種類のコマンドも含み得るが、ここでは説明を簡単にするために、当該２種類について説明する。
【００６６】
ＣＰＵ１１０は、受信した要求コマンドから、当該要求コマンドの種類を判定する（ステップＳ４９）。取得要求コマンドと判定すると（ステップＳ４９で“取得要求コマンド”）、受信するフレームについて、当該フレームのヘッダ部の送信元アドレスと設定ファイル２０１の測定器ＩＤ２Ａとに基づき、フレーム送信元の測定器１０を判別する。そして、判別した各測定器１０の受信フレームから計測数と成功数とを算出し、各測定器１０について算出した計測数と成功数を、測定器ＩＤ２Ａを付加して応答として送信する（ステップＳ５１）。その後、ステップＳ５３に移行する。ステップＳ５１で送信されたデータは、要求元のタイマイベント処理のステップＳ７７で受信される。
【００６７】
また、終了要求コマンドと判定すると（ステップＳ４９で“終了要求”）、各測定器１０からのフレームの収集処理を停止し、終了フラグＦ２をセットし（ステップＳ５７，Ｓ５９）、ステップＳ５３に移行する。なお、ステップＳ４７で受信する“終了要求コマンド”は、確認モード中にユーザがボタン１０Ｅを操作した場合にＣＰＵ１１０が発行する割込みコマンドに相当する。
【００６８】
ステップＳ５３では、ソケットを閉じて各測定器１０との通信を終了する（ステップＳ５３）。その後、ＣＰＵ１１０は、終了フラグＦ２がセットされているか否かを判定する（ステップＳ５５）。セットされていないと判定すると（ステップＳ５５でＮＯ）、当該処理を終了させずに、ステップＳ４３の処理に戻るが、セットされていると判定すると（ステップＳ５５でＹＥＳ）、当該処理を終了し、元の処理（ステップＳ５）に戻る。
【００６９】
・メイン処理
次に、上述した図９〜図１０のスレッドを含む図８のメイン処理を説明する。図８を参照して、ユーザが、通信状況確認開始を指示するために図６のボタン１０Ａを操作すると、ＣＰＵ１１０は、設定ＧＵＩ用サーバスレッドを起動し（ステップＳ５）、次いで表示ＧＵＩ用サーバスレッドを起動する（ステップＳ７）。
【００７０】
ＣＰＵ１１０は、メモリ１０１を検索し、設定ファイル２０１にデータが登録済みである否か、すなわち設定ファイル２０１の有無を判定する（ステップＳ９）。登録されていないと判定すると（ステップＳ９で“無”）、ＣＰＵ１１０は、図７のＧＵＩ画面を表示し、当該画面からのユーザ操作を受付け、受付けたユーザ操作内容に基づき、上述したように設定ファイル２０１を生成しメモリ１０１に格納する（ステップＳ１７）。その後、ステップＳ１９に移行する。
【００７１】
一方、設定ファイル２０１にデータが登録済みであると判定すると（ステップＳ９で“有”）、ＣＰＵ１１０は、収集部１１１による各測定器１０についての計測数および成功数の収集処理を停止させ（ステップＳ１１）、メモリ１０１の設定ファイル２０１の内容に従い、再度、収集処理を開始させる（ステップＳ１３、Ｓ１５）。
【００７２】
次いで、終了フラグＦ１が初期化（リセット）されて（ステップＳ１９）、当該終了フラグＦ１がセットされたと判定される（ステップＳ２９でＹＥＳ）までの間、ステップＳ２１〜Ｓ２７の処理がループし続ける。終了フラグＦ１は、図７のＧＵＩ画面の設定終了のボタン１１Ｄが操作されたことが検出されたとき、ＣＰＵ１０１によりセットされる。
【００７３】
当該ループ処理では、設定ファイル２０１の更新が有ったか否かが判定される（ステップＳ２１）。すなわち、ステップＳ１７で、図７で説明した設定ファイル２０１の更新があったか否かが操作内容から判定される。更新されなかったと判定されると（ステップＳ２１で“無”）、ステップＳ２９に移行するが、更新されたと判定されると（ステップＳ２１で“有”）、ＣＰＵ１１０は、図７の画面でユーザ操作により入力した更新内容に基づき設定ファイル２０１のデータを更新するとともに（ステップＳ２３）、収集部１１１による収集処理を停止させる（ステップＳ２５）。そして、更新後の設定ファイル２０１の内容を反映した収集処理が行われるように収集部１１１を制御する。これにより、収集処理が再開した場合に、更新後の設定ファイル２０１の内容に基づく収集処理の実行が可能となる。
【００７４】
その後、ＣＰＵ１１０は、終了フラグＦ１がセットされているか否かを判定する（ステップＳ２９）。終了フラグＦ１がセットされていると判定されると（ステップＳ２９でＹＥＳ）、ステップＳ３１に移行するが、セットされていないと判定されると（ステップＳ２９でＮＯ）、ステップＳ２１に戻る。
【００７５】
ステップＳ３１とＳ３３では、設定ＧＵＩ用サーバスレッドおよび表示ＧＵＩ用サーバスレッドを再度、起動し、メイン処理は終了する。
【００７６】
（通信状況の確認結果の表示画像）
表示用データ生成部１１３が、ステップＳ８１において生成した表示用データは、ＣＰＵ１１０の制御のもとに、ディスプレイ１０２に関連のグラフフィックメモリ（図示せず）に格納される。ディスプレイ１０２に関連の表示デバイスコントローラ（図示せず）は、グラフィックメモリに格納されているデータに基づく描画動作をディスプレイ１０２に対して実行する。ディスプレイ１０２は、その動作に従って画像を表示する。
【００７７】
表示画像は、間取り図において、各測定器１０に対応の取得成功率を当該測定器１０の位置に関連付けて、且つ当該取得成功率を特定する態様で表示する。一例として、図６と図７の領域１０Ｃで示したが、以下のような表示態様であってもよい。
【００７８】
図１２と図１３は、本実施の形態に係る確認モードにおける表示画像例を示す図である。これら画像は、図５の１階間取り図としているが、２階間取り図についても同様の画像を表示することができる。
【００７９】
具体的には、図１２では、エリア（例えば、部屋単位）を網羅するように計測点を設け、各計測点に測定器１０を配置して当該測定器１０からの送信フレームから取得成功率２Ｅを取得する場合に、間取り図の各エリアを、当該エリアの取得成功率２Ｅの大きさ（代表値：平均値、最頻値など）に従った色で着色して表示する。また、各エリアでは、位置データ２Ｂが示す各測定器１０の位置を表す位置マーク（図中の黒丸）に関連付けて取得成功率２Ｅが数値表示される。
【００８０】
図１２の画像によれば、エリアごとの取得成功率２Ｅが一目でわかるようになる。また、取得成功率２Ｅが低いエリアであれば、当該エリア内の取得成功率２Ｅの数値表示から、測定器１０を当該エリア内のどの地点に設置すれば取得成功率２Ｅが上がるかを容易に判断することができる。
【００８１】
また、図１２の画像は、ユーザに対して取得成功率２Ｅを改善させるためのガイド情報（画像）も有する。具体的には、ＣＰＵ１０１は、設定ファイル２０１および成功率ファイル２０３を検索して、検索結果に基づき、“玄関”または“床の間”のエリアの取得成功率２Ｅは、他のエリアに比べて低いが、隣接エリアの“和室”または“リビング”の取得成功率２Ｅよりは高いと判定する。ＣＰＵ１０１は判定結果に基づき、“玄関”または“床の間”のエリアの取得成功率２Ｅを改善するためのガイド情報を生成し、出力する。ガイド情報は、表示用の画像データの“玄関”または“床の間”のエリアから、“和室”または“リビング”の方向へ延びる矢印データを含む。
【００８２】
したがって、表示用データ生成部１１３は、ＣＰＵ１０１が生成したガイド情報に基づき、間取り図上に、“玄関”または“床の間”のエリアから、“和室”または“リビング”の方向へ延びる矢印のマークＡＲ１とＡＲ２を有した画像を生成する。生成された画像はディスプレイ１０２に表示される（図１２参照）。ユーザは、表示されたマークＡＲ１，ＡＲ２の矢印の向きから、取得成功率２Ｅを上げることが可能な方向のエリア・位置がガイドされる。なお、取得成功率が高い測定器１０が配置された方向を示すための画像は、当該方向を示すものであれば矢印画像に限定されない。
【００８３】
ユーザはガイド情報に従って“玄関”または“床の間”の測定器１０を、“和室”または“リビング”に移動させるとともに、図７に示した手順で間取り図上の当該測定器１０の位置を変更し、設定ファイル２０１を更新する。その後、ボタン１０Ａを操作して確認モードに移行させることで、更新後の設定ファイル２０１に従って収集処理が実行され、その結果に基づく取得成功率２Ｅを表す図１２の画像が表示される。ユーザは、当該画像から各測定器１０の取得成功率２Ｅが改善されたことを確認することができる。
【００８４】
また、図１３には表示用データ生成部１１３による生成される他の画像の表示例が示される。図１３では、図１２の間取り図のエリア毎の取得成功率２Ｅの大きさに従う色分け表示に代わって、間取り図上に等高線状の線分が表示される。等高線状の線分は、各測定器１０の位置マーク（図中の黒丸）を、関連付けされた取得成功率２Ｅの値が同じであるものどうしを繋ぐ線分である。
【００８５】
表示用データ生成部１１３は、（a)着目する取得成功率２Ｅに等しい測定器１０の位置マークを検出し、また（b)着目する取得成功率２Ｅに等しい測定器１０が存在しない箇所は、隣接する測定器１０の取得成功率２Ｅを内掃して補間し、着目する取得成功率２Ｅに等しい地点を算出することで、取得成功率２Ｅに関する等高線を描画する表示用画像データを生成する。このような等高線が表示されることで、ユーザは、エリア毎の取得成功率に加えてエリア内のどの地点の取得成功率が高いかが等高線の形状から一目でわかるようになり、同じエリア内でもどの地点に測定器１０を設置すれば取得成功率２Ｅが上がるかが容易に判断できる。図１３でも、図１２と同様に、取得成功率２Ｅを改善するためのガイド情報（マークＡＲ１，ＡＲ２）が表示される。
【００８６】
（他の表示例）
図１２と図１３では、住居内の通信状況の確認に基づいた表示画像例であったが、図１４〜図１６には店舗内の通信状況の確認に基づいた表示画像例を示す。図１４は、本発明の実施の形態に係る店舗内のレイアウトの一例を示す図であり、図１５と図１６は、図１４のレイアウト図を用いた通信状況の確認のための表示画像例を示す。間取り図２０２として図１４のレイアウト図を用いる場合には、設定ファイル２０１の位置データ２Ｂは、店舗内レイアウト図上の２次元座標値（ｘ，ｙ）、測定器１０が取り付けられた店舗フロアの識別情報、および取り付けられた部屋名，最寄りの商品棚，接客カウンター，コピー機などの什器名を含む。
【００８７】
図１５では、店舗内の部屋名、什器名などを表示したエリアで区切ったレイアウト図上に、図１２と同様に、各エリアを取得成功率２Ｅに応じて色分けして表示する。図１５の画像から、ユーザは、コピー機のエリアの取得成功率２Ｅは低いが、隣接エリアのアイスクリーム棚の取得成功率２Ｅの方が高いので、アイスクリーム棚に近い方に測定器１０を設置し直すことで取得成功率２Ｅを上げることが可能であると判断することができる。
【００８８】
また、図１６では店舗内の部屋名、什器名などを表示したエリアで区切ったレイアウト図上に、図１３と同様に、取得成功率２Ｅを繋ぐ等高線状の線分を描く。図１６から、ユーザは、商品棚の端よりも中央に測定器１０を設置した方が取得成功率２Ｅは上がると判断することができる。図１５と図１６でも、図１２，図１３と同様に、取得成功率２Ｅを改善するためのガイド情報（マークＡＲ１，ＡＲ２）が表示される。
【００８９】
このように取得成功率２Ｅの履歴をＵＩの画像上にマッピングすることにより、対象エリア全体の通信状況を表示することができる。また、測定器１０が少数台であっても表示可能である。
【００９０】
本発明の実施では、通信状況の確認対象エリア内において任意の場所に測定器１０を設置して一定時間データ収集を行うことで取得成功率を計算して通信状況を示す画像を表示し、測定場所を変更して同様に取得成功率の計算を行って通信状況を示す画像を表示するとの処理を繰り返す。これにより、ユーザに対して、表示画像から、住居内の間取りまたは店舗内のレイアウトに応じた高い取得成功率２Ｅを得ることができる測定器１０の配置を支援するための情報を提示することができる。
【００９１】
また、通信状況の確認は、測定器１０の受信電波強度に基づくものでなく、実際に受信に成功した割合を示す取得成功率２Ｅを用いることから、電波強度に依存しない通信状況の確認が可能となる。
【００９２】
（変形例）
表示用データ生成部１１３により、ステップＳ８１において、間取り図などのレイアウト図において測定器１０の位置を示すマークの表示色を、当該測定器１０の取得成功率が該当する範囲（レンジ）を示す色に変更して表示するとしてもよい。取得成功率の範囲（レンジ）と表示色は、図６の備考欄１０Ｊの仕様に従って割当てられる。
【００９３】
また、この備考欄１０Ｊの仕様に従い測定器１０のマークの色を変化させる表示態様と、図１２の表示態様と、図１３の表示態様とは、タブレット１０３のボタン操作などにより、相互に切替え可能としてもよく、同一画面にこれら３個の図が同時に表示されるとしてもよい。同時表示では、たとえば図１２の間取り図に図１３の間取り図が重ね合わせて表示させることで、ユーザは、エリア毎の色分けと、それに重畳された等高線とを同時に観察することができる。
【００９４】
また、取得成功率が該当する範囲（レンジ）に従い測定器１０のマークの色を変化させる他に、マークのサイズ、形などの態様を、その取得成功率が該当する範囲（レンジ）に従い変化させてもよい。
【００９５】
本実施の形態では、高い取得成功率２Ｅを得るために子機である測定器１０を移動させたが、親機である設備制御監視装置４０を移動させて、移動後に再度、通信状況の確認ための情報を取得し画像表示する。
【００９６】
また、測定器１０または設備制御監視装置４０を移動させて再度、通信状況確認のための情報を取得し画像表示する場合には、先行して取得した情報（等高線など）と今回取得した情報とを等高線の色を区別して同時に表示し、ユーザに対して通信状況の変化の履歴を提示する。
【００９７】
また、ＵＩの画像および通信状況の確認画像は、設備制御監視装置４０のディスプレイ１０２に表示するとしたが表示デバイスはこれに限定されない。例えば、設備制御監視装置４０が画像データをユーザが携帯するタブレット端末に送信しタブレット端末に表示するとしてもよい。また、店舗内のＰＯＳ（Point of Sale System）の端末に送信し、当該端末に表示する。
【００９８】
また、図１２、図１３、図１５および図１６の通信状況の確認画像は、設備制御監視装置４０と測定器１０との通信に影響を与える原因を示す情報を含む。例えば、コンクリート・金属の壁、Ｗｉｆｉ（登録商標）などの高周波信号が無線信号を減衰させる要因であることが知られている。そこで、間取り図２０２またはレイアウト図にコンクリート・金属の壁の位置情報、高周波信号発信デバイスの位置情報などを登録しておき、通信状況を確認するための間取り図上では、これら位置情報の画像も表示されるようにする。これにより、ユーザに対し、取得成功率２Ｅが低いエリアは、無線信号の減衰に起因していることを判断するための支援情報を与えることができる。
【００９９】
また、測定器１０のプラグ１１が差し込まれる家庭用電源のコンセントは、壁面、床面、天井などに配置され得ることを鑑みて、間取り図は２次元平面として表示するものに限定されず、３次元で表示されてもよく、２次元表示と３次元表示とをユーザ操作により切替えることができるとしてもよい。
【０１００】
＜実施の形態２＞
上述の実施の形態１に係る処理は、ＣＰＵ１１０により実行されるソフトウェアによって実現される。このようなソフトウェアは、メモリ１０１に予め記憶されている場合がある。また、ソフトウェアは、非一時的に記憶媒体に格納されて、プログラム製品として流通している場合もある。あるいは、ソフトウェアは、図１の外部ネットワークの１種である、いわゆるインターネットに接続された情報提供事業者によって設備制御監視装置４０にダウンロード可能なプログラム製品として提供される場合もある。
【０１０１】
このようなソフトウェアは、図示しない読取装置を利用することによってその記憶媒体から読み取られて、あるいは、通信インターフェイス１０５を利用することによってダウンロードされて、メモリ１０１に一旦格納される。ＣＰＵ１１０は、ソフトウェアを実行可能なプログラムの形式でメモリ１０１に格納してから、当該プログラムを実行する。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
２Ａ  識別子、２Ｂ  位置データ、２Ｃ  機器ＩＤ、２Ｄ  測定間隔、２Ｅ  取得成功率、１０  測定器、２０  電気機器、４０  設備制御監視装置、１１１  収集部、１１２  成功率算出部、１１３  表示用データ生成部、２０１  設定ファイル、２０２  間取り図、２０３  成功率ファイル、ＡＲ１，ＡＲ２  マーク。
【図１】
2014186629.tif 000003
【図２】
2014186629.tif 000004
【図３】
2014186629.tif 000005
【図４】
2014186629.tif 000006
【図５】
2014186629.tif 000007
【図６】
2014186629.tif 000008
【図７】
2014186629.tif 000009
【図８】
2014186629.tif 000010
【図９】
2014186629.tif 000011
【図１０】
2014186629.tif 000012
【図１１】
2014186629.tif 000013
【図１２】
2014186629.tif 000014
【図１３】
2014186629.tif 000015
【図１４】
2014186629.tif 000016
【図１５】
2014186629.tif 000017
【図１６】
2014186629.tif 000018